(57)【要約】【課題】特に相手先を呼び出す手間を省く文字種混合ユーザアカウントの通信ダイヤルアップ接続装置を提供する。【解決手段】本考案はダイヤルアップ接続をする呼び出し電話番号を識別し、再度マイクロプロセッサより、あらかじめ割り振った数字のコードにより変換して、受け取った電信符号を実際に呼び出すユーザアカウントに変換し、さらに効果音処理回路１０５を通じて接続する伝送線よりコンピュータＰＣへ伝送して、遠方にいるＩＰ電話ユーザを呼び出すという通信要求を完了するということを特徴とする。そうすると、従来型の電話機のテンキーを用いて、直接ダイヤルアップ方式で文字種混合ユーザアカウントの呼び出し先に接続することで、決まった場所にあるコンピュータで相手先を呼び出す手間を省くことができる。【選択図】図１
0003138315.tif 000002
【実用新案登録請求の範囲】
【請求項１】
ダイヤルアップ接続装置において、従来型の電話機で、文字種混合アカウントのＩＰ電話のユーザに接続し、前記従来型の電話機は、従来型の電話機のテンキーより、ダイレクトダイヤルで文字種混合アカウントの呼び出し先ＩＰ電話のユーザに接続し、前記従来型の電話機で呼び出すＩＰ電話ユーザの文字種混合アカウントは、マイクロプロセッサにより、あらかじめ保存した複数グループの文字コードと数字組み合せコードの対応データの対応表で割り振られた数字コードに変換し、実際の呼び出し先ユーザアカウント用のコードに換えられ、さらに、前記マイクロプロセッサに接続する効果音処理回路、およびこの効果音処理回路につながるインターフェースより、前記ＩＰ電話ユーザのコンピュータへ伝送され、遠方にいるＩＰ電話ユーザを呼び出して通信が完了することを特徴とする、文字種混合ユーザアカウントの通信ダイヤルアップ接続装置。
【請求項２】
さらに、発話検知回路と、ベル発生回路と、デコード回路と、カップリング回路と、効果音回路と、メモリ装置回路とマイクロプロセッサとを含み、
前記発話検知回路は、１対の電話機の接続ポートおよび１対の通話回路を備え、このうち電話機の接続ポートは電話機に接続しており、
前記ベル発生回路はダイヤルアップ接続通信時に必要な動作電流を発生させ、また接続時にダイヤルアップ音およびビジー音を出し、
前記デコード回路は通話回線にクロスし、本電話システムからの発信が必要な時にダイヤルアップ接続した呼び出し先のコードを読み取って、デコード後にマイクロプロセッサに転送し、変換規則に則って相手先のアカウントに変換し、
前記カップリング回路は、コンピュータの効果音プロセッサの２本線で信号を出力、また２本線で信号を入力し、電話通信システムで使われる２本線形式に変換し、逆の場合も同様に、通信が必要な時、マイクロプロセッサは信号線よりリレーを動作させて接点をＯＦＦにし、電話を発話検知回路、通話回路よりＩＰ電話の通信リンクに接続して通信を構成し、
反対に、ＩＰ電話の受信を検知すると、マイクロプロセッサも信号線よりリレーを動作させて接点をＯＦＦにし、電話を発話検知回路、通話回路よりＩＰ電話の通信リンクに接続して通信を構成し、
前記効果音回路は、インターネットから受け取ったデジタル信号を、耳に聞こえるアナログ音に変換、あるいは入力したアナログ信号をデジタル信号に変換してインターネットに伝送し、インターフェース経由でコンピュータにつなぎ、さらに本電気回路のもうひとつの機能として、マイクロプロセッサの検知と駆動によりＩＰ電話の受信呼び出しを受け、呼び出し側のアカウントをマイクロプロセッサに伝送することが挙げられ、
前記メモリ装置回路は、前記対応表をメモリ装置内に保存するのに用いられ、少なくともひとつの対応表に保存し、これには複数グループの文字コードと数字組合せコードの対応データが含まれ、マイクロプロセッサは前記対応表に基づいて相互に文字コードや数字組合せコードの変換を行い、
前記マイクロプロセッサは本装置に接続し、各機能回路は相応するダイヤルアップ接続や選択プログラムの判断処理を行い、関連する検知回路を経由して動作情報を伝達し、ダイヤルアップや選択、受信応答コントロールを実行し、前記マイクロプロセッサは、メモリ内に作成した数字コード変換の対応表に基づいて、電話機が送信した電信符号を文字種混合アカウントコードに変換し、反対に、発信側の文字種混合アカウントコードを電話機のキーボードが伝送できる電信符号に変換することを特徴とする、請求項１に記載の文字種混合ユーザアカウントの通信ダイヤルアップ接続装置。
【請求項３】
このうち、前記メモリ装置回路には、さらにユーザ対応のアカウントのメモリ装置が備えられ、ユーザ対応アカウントの記録エリアとして、少なくともひと口のユーザアカウントを保存することで、マイクロプロセッサで追加、削除、検索、編集を行えることを特徴とする、請求項２に記載の文字種混合ユーザアカウントの通信ダイヤルアップ接続装置。
【請求項４】
このうち、前記メモリ装置回路には、さらに一時保存のメモリ装置が備えられ、少なくともひと口の発信および受信するユーザアカウントの数字コードを保存できることを特徴とする、請求項２に記載の文字種混合ユーザアカウントの通信ダイヤルアップ接続装置。
【請求項５】
さらにディスプレイが１台備えられ、マイクロプロセッサによるコントロールを受け、文字コードおよび数字組み合せコード、ユーザアカウント・コード、ユーザアカウントの数字コードなどのデータを表示し、可視操作で情報のコントロールが行えることを特徴とする、請求項２に記載の文字種混合ユーザアカウントの通信ダイヤルアップ接続装置。
【考案の詳細な説明】
【技術分野】
【０００１】
本考案はＩＰ電話の通信技術に係り、特に従来型の電話機でダイヤルアップ接続する、文字種混合アカウントのＩＰ電話ユーザの通信ダイヤルアップ接続装置に関するものである。
【背景技術】
【０００２】
ＩＰ電話技術は、コンピュータ操作およびインターネット（Ｉｎｔｅｒｎｅｔ）で電話をかける通信技術であり、個人ユーザでも法人ユーザでも、ブロードバンド・ネットワークの環境を用意でき、ユーザ端末にゲートウェイ（Ｇａｔｅｗａｙ）を設置しさえすれば、ブロードバンド・ネットワークより電話をかけて通信を行うことができるものであった。
【０００３】
ＩＰ電話技術は、アナログ式の音声信号をデジタルコードに圧縮した後、ネットワークベース上でポイントツーポイントにより、ただちに音声で伝送されるというものである。インターネットの利用により、ただちに音声伝送サービスを提供できるばかりか、さらに世界中どこへでも、ユーザが公衆電話ネットワーク（ＰＳＴＮ、つまり一般的な従来型の電話線）を用いなくとも、遠距離電話で通話が可能となった。ブロードバンド・インターネットの普及に伴い、今後はインターネットを利用して音声で通信するようになると見られる。
【考案の開示】
【考案が解決しようとする課題】
【０００４】
一般のＩＰ電話のユーザアカウントは、ユーザの識別用に、アルファベットや記号、数字を混合して構成されている。ユーザがダイヤルアップ接続して相手方を呼び出す場合、決まった場所のコンピュータで相手先を選び、通信目的を達成させなければならない。これゆえ、毎回ダイヤルアップ接続して呼び出す時に、コンピュータ端末でダイヤルアップのプログラム選択という手順が必要になる。このように、場所が決まったコンピュータでダイヤルアップ選択を行う方法は、他にコンピュータを使用している人がいる場合、操作を中断させなければならず、操作の妨げとなるばかりか、実際の操作も不便で、かつさまざまな制限があるため、コンピュータ操作に不慣れな人にとっては、相当な苦労を強いられており、これゆえ改善の必要があった。
【課題を解決するための手段】
【０００５】
上記目的を達成するためになされた本願の考案の第一の目的は、従来型の電話機で、文字種混合ユーザアカウントのＩＰ電話にダイヤルアップ接続する、通信ダイヤルアップ接続装置を提供することにある。あらかじめ割り振った数字コードを変換して、従来型の電話機のテンキーを用いて、ダイヤルアップ方式で文字種混合ユーザアカウントの呼び出し先に接続することで、決まった場所にあるコンピュータで相手先を呼び出す手間を省けることを特徴とする、ダイヤルアップ接続装置であることを要旨としている。
【０００６】
本願の考案のもうひとつの目的は、ユーザが相手先を呼び出す時、その呼び出すコードはあらかじめ文字種混合コードに変換してあり、かつ並列方式でディスプレイ上に表示されることにより、呼び出し先が識別しやすくすることを特徴とする、ダイヤルアップ接続装置であることを要旨としている。
【０００７】
本願の考案のさらにもうひとつの目的は、自ら電話帳を作成し検索できる機能を持たせることで、ユーザアカウントを自動で記録保存し、また変換、接続、呼び出しをする機能を提供することを特徴とする、ダイヤルアップ接続装置であることを要旨としている。ユーザが最初に、文字および数字の変換表の規則に基づいて相手先のアカウントをダイヤルアップする時に、このアカウントは文字種混合アカウントコードに変換され、電話機のキーボードで押された電信符号になり、メモリ装置内に記録され、ユーザが再度呼び出しを行う場合に、本装置の検索キーで直接このユーザを呼び出すことができるというものである。反対に、本装置が受信モードの時は、マイクロプロセッサは効果音処理回路を通じて、変換後に数字コードおよび文字種混合コードで、かつ並列方式でディスプレイ上に表示され、メモリ装置内に記録保存されるため、本装置を使用するユーザは呼び出しが便利になる。
【考案の効果】
【０００８】
本考案は、従来型の電話機で文字種混合ユーザアカウントのＩＰ電話にダイヤルアップ接続する、通信ダイヤルアップ接続装置を提供することにあり、あらかじめ割り振った数字コードに変換して、従来型の電話機のテンキーを用いて、ダイヤルアップ方式で文字種混合ユーザアカウントの呼び出し先に接続することにより、決まった場所にあるコンピュータで相手先を呼び出す手間を省けるという効果を有する。
【考案を実施するための最良の形態】
【０００９】
本考案により、ダイヤルアップ接続をする呼び出し電話番号（０−−−９＃＊など）を識別し、再度マイクロプロセッサより、あらかじめ割り振った数字コードに変換した後、受け取った電信符号を実際に呼び出すユーザアカウントに変換し、さらに効果音処理回路を通じて接続する伝送線よりコンピュータへ伝送して、遠方にいるＩＰ電話ユーザを呼び出すという通信要求を完了する。
【００１０】
図１に示すのは、発話検知回路１０１、ベル発生および通話電流回路１０２、デコード回路１０３、カップリング回路１０４、効果音回路１０５、メモリ装置回路１０６、ディスプレイ１０７、マイクロプロセッサＭＣＵである。本考案は、実際の商品化時にケース収納できるほか、電話機システムも収納でき、またコンピュータのインターフェイスカード形式でコンピュータ装置内に取り付けることも可能である。
【００１１】
図２に示すのは、本考案の実施例として挙げる電気回路図であり、これについて項目別に次のとおり説明する。
【００１２】
＜発話検知回路１０１＞
この回路は整流電気回路ＢＲ１より、電気抵抗Ｒ１、Ｒ２、Ｒ３および光カプラＰ１を構成し、電話機接続ポートＴ１、Ｔ２は従来型の電話機ＴＥＬに接続している。ユーザが電話機ＴＥＬを持ち上げると、検知回路１０１が電流を通した後、デジタルモードでマイクロプロセッサＭＣＵユーザ端末に電話がかかってきたことを通知する。
【００１３】
＜ベル発生回路１０２＞
本回路は電気抵抗Ｒ４、Ｒ５およびベル発生器ＩＣ１より構成され、前記回路は電話システムのダイヤルアップ通信時に必要な作業電流を提供し、また発信接続時に送るダイヤル音やビジー音を出す。ＩＰ電話が受信した場合、前記電気回路はマイクロプロセッサＭＣＵによるコントロールで、電話機に受信のベル振動信号を送り、ベルが鳴って応答する。
【００１４】
＜デコード回路１０３＞
本回路はＤＴＭＦデコーダＩＣ２および抵抗Ｒ６、Ｒ７、コンデンサＣ１、Ｃ２が通話回路Ｌ１、Ｌ２にクロスして構成され、その主な目的は、本電話システムから発信する場合、ダイヤルアップ接続した呼び出し先のコードを読み取ってデコードした後、マイクロプロセッサＭＣＵに転送し、変換規則に則って相手先のアカウントに変換する。
【００１５】
＜カップリング回路１０４＞
本電気回路はコイルＣＴ、および電気抵抗Ｒ８、Ｒ９、Ｒ１３、Ｒ１４、Ｒ１２、Ｒ１０、コンデンサＣ４、Ｃ３、アンプリファイヤＯＰＡ、アンプリファイヤＯＰＢより構成され、本電気回路の主な機能は、コンピュータの効果音プロセッサの２本線で信号を出力、また２本線で信号を入力し（出入力は４本線）、前記部品のマッチングより、電話通信システムで使われる２本線形式に変換するもので、その反対もまた同様である。
【００１６】
通信が必要な場合、マイクロプロセッサＭＣＵは、信号線ＲＹから抵抗Ｒ１１、トランジスタＴＲ１を通じてリレーＲＹ１を動作させ、接点ＲＹ１ａ、ＲＹ１ｂをＯＦＦにして、電話ＴＥＬを発話検知回路１０１、通話回路Ｌ１、Ｌ２よりＩＰ電話の通信リンクに接続して通信を構成する。  
【００１７】
反対に、ＩＰ電話の受信を検知すると、マイクロプロセッサＭＣＵも信号線ＲＹより電気抵抗Ｒ１１、トランジスタＴＲ１を通じてリレーＲＹ１を動作させ、接点ＲＹ１ａ、ＲＹ１ｂをＯＦＦにして、電話ＴＥＬを発話検知回路１０１、通話回路Ｌ１、Ｌ２よりＩＰ電話の通信リンクに接続して通信を構成する。
【００１８】
＜効果音回路１０５＞
本電気回路は主に効果音チップＩＣ３より、インターネットから受け取ったデジタル信号を耳に聞こえるアナログ音に変換、あるいは入力したアナログ信号をデジタル信号に変換してインターネットに伝送し、インターフェースＵＳＢ経由でコンピュータＰＣにつなぐ。
【００１９】
本電気回路のもうひとつの機能は、マイクロプロセッサＭＣＵの検知と駆動により、ＩＰ電話の受信呼び出しを受け、呼び出し側のアカウントをマイクロプロセッサＭＣＵに伝送することである。
【００２０】
＜メモリ装置回路１０６＞
本メモリ装置回路は次の三つに分けられる。一つ目は、対応表のメモリ装置１０６ａで、少なくともひとつの対応表ＴＡＢ１（図３に示す）を保存し、これには複数グループの文字コードＴＡＢ１ａと数字組み合せコードＴＡＢ１ｂの対応データが含まれ、マイクロプロセッサは対応表ＴＡＢ１に基づいて、相互に文字コードＴＡＢ１ａ、あるいは数字組み合せコードＴＡＢ１ｂに変換する。
【００２１】
二つ目はユーザ対応のアカウント・メモリ装置１０６ｂで、ユーザ対応アカウントの記録エリア（電話帳）として、少なくともひと口のユーザアカウントを保存することで、マイクロプロセッサＭＣＵで追加、削除、検索、編集を行うことができる。
【００２２】
三つ目は一時保存のメモリ装置１０６ｃで、少なくともひと口の発信および受信するユーザアカウントの数字コードを保存できる。
【００２３】
＜マイクロプロセッサＭＣＵ＞
マイクロプロセッサＭＣＵは本装置に接続し、各機能回路は相応するダイヤルアップ接続や選択プログラムの判断処理を行い、関連する検知回路を経由して動作情報を伝達し、ダイヤルアップや選択、受信応答コントロールを実行する。
【００２４】
メモリ内に作成した数字コード変換の対応表に基づいて、電話機が送信した電信符号を文字種混合アカウントコードに変換し、反対に、発信側の文字種混合アカウントコードを電話機のキーボードが伝送できる電信符号に変換する。変換して受け取った電信符号をメモリ装置内に保存し、エディットキーで削除や検索、転送、呼び出しの機能を実行できる。
【００２５】
マイクロプロセッサＭＣＵは、一つの発音を持つユニットＳＰに接続する。マイクロプロセッサＭＣＵは、本装置内の各情報に対し、伝達やコントロールを行い、発音ユニットＳＰを通じて耳に聞こえる対応信号を発信する。
【００２６】
＜ディスプレイ１０７＞
ディスプレイはマイクロプロセッサＭＣＵのコントロールを受けて、文字コードおよび数字組み合せコード、ユーザアカウント・コード、ユーザアカウントの数字コードなどのデータを表示し、可視操作で情報のコントロールが行える。
【００２７】
＜装置の動作説明＞
＜呼び出しと電話機のダイヤルモード＞
ユーザがＩＰ電話端末のユーザにダイヤルする場合、初めてそのユーザにかける時は、まずこのユーザの文字コードを対応するデジタルコードに変換すると、従来型の電話機のキーボードで直接接続できる。（その対照表は、図３に示すとおりである）
【００２８】
発信をしたい相手先コンピュータのユーザアカウントがｔｏｎｅ５９７８である場合、対照するデジタルコードは２０１５１４０５および５９７８であり、ユーザは受話器を持って、＊２０１５１４０５＊５９７８を押すとダイヤルアップされ、デコード回路が受け取って、デコード後にマイクロプロセッサへ伝送される。
【００２９】
マイクロプロセッサはこの電信符号を受け取った後、２つの＊の電信符号間の数字を識別して文字符号に変換する。＊２０１５１４０５＊はｔｏｎｅに変換されてさらに５９７８が足され、＊２０１５１４０５＊５９７８という電信符号で受け取られ、ＬＣＤスクリーンに表示される。次に変換された後のｔｏｎｅ５９７８アカウントは、効果音処理回路を通じてコンピュータ伝送され、リレーＲＹを駆動してリレーを動作させ、カップリング回路につながって通話を構成し、呼び出しプログラムを完了する。
【００３０】
＜装置のモード選択＞
ユーザがコンピュータのユーザアカウントに接続する場合、装置のメモリ内に保存済みであれば、ユーザはＵＰあるいはＤＮエディットキーを用いて、ユーザアカウントを点検することができる。
【００３１】
ＬＣＤディスプレイは、エディットキーで１つ１つメモリ内にあるユーザアカウントを表示する。呼び出し対象のユーザを選択した後、ＤＡキーを押すと、マイクロプロセッサが直ちにこのユーザアカウントの効果音処理回路を通じてコンピュータへ伝送し、呼び出しが完了する。同時にＳＰより耳に聞こえる呼び出し音が送られるので、ユーザは受話器を持ち上げて、相手方の応答を待てばよい。
【００３２】
通話が終了しユーザが電話を切ると、通話検知回路の電流が中断しＨＫ電位まで下がり、マイクロプロセッサがリレーを釈放しカップリング回路の接続を切り切断プログラムを完了する。
【００３３】
＜受信応答＞
遠方のコンピュータ・ユーザから電話がかかってきた場合、ＵＳＢはコンピュータの送信情報を受け取り、効果音プロセッサよりマイクロプロセッサに通知し、マイクロプロセッサは受信したユーザアカウントをＬＣＤに送って表示し、またこのアカウントを電話で呼び出せる電信符号に換えて表示する。
【００３４】
マイクロプロセッサはＲＮおよびＦＺをベル発生器に駆動させ、ベル発振信号をＴｉｐおよびＲｉｎｇ端子へ送り出し、電話機にベル音を発生させ、ユーザが受話器を持ち上げると発話検知器が動作して、マイクロプロセッサにベルの停止を通知し、マイクロプロセッサがリレーＲＹに駆動してリレーを動作させ、カップリング回路につながって通話を構成する。通話が終了しユーザが電話を切ると、通話検知回路の電流が中断しＨＫ電位まで下がり、マイクロプロセッサがリレーを釈放しカップリング回路の接続を切り、切断プログラムを完了する。
【００３５】
＜ユーザアカウントの保存編集＞
ユーザは呼び出し側のユーザアカウントをメモリ装置内に保存でき、エディットキーで必要なユーザアカウントを選択した後、ＳＴＯキーを押してこのアカウントを電話帳に保存することができ、反対に、ＣＬキーでユーザアカウントを削除することもできる。
【００３６】
ユーザも電話機で、あらかじめユーザアカウントをメモリ装置内に保存でき、たとえば、ｋｅｎ−３３４９アカウントをあらかじめメモリ装置に保存しておき（このユーザを呼び出さない）、対照したデータが１１０５１４２７および３３４９であれば、ユーザは受話器を持ち上げて、＃２０１５１４０５＃３３４９を押すとダイヤルアップされ、デコード回路で解読した後にマイクロプロセッサへ送られる。
【００３７】
マイクロプロセッサはこの電信符号を受け取った後、２つの＃の電信符号間の数字を識別して文字符号に変換する。＃１１０５１４２７＃はｋｅｎ−に変換されてさらに３３４９が足され、＃１１０５１４２７＃３３４９という電信符号で受け取られ、ＬＣＤスクリーンに表示され、保存が終わるとＳＰより耳に聞こえる音が送られる。
【００３８】
マイクロプロセッサは受け取った電信符号の最初の文字が＃から始まることを知ると、コンピュータ端末の呼び出しプログラムは実行せず、反対に、保存完了の音声を送信した後、他のユーザアカウントの保存を行い、ユーザが電話を切った後、待ち受け状態に戻る。
【図面の簡単な説明】
【００３９】
【図１】本考案の電気回路機能を示すブロック図
【図２】本考案の実施例として挙げる電気回路図
【図３】本考案の対応表
【符号の説明】
【００４０】
１０１                  発話検知回路
１０２                  ベル発生および通話電流回路
１０３                  デコード回路
１０４                  カップリング回路
１０５                  効果音回路
１０６                  メモリ装置回路
１０６ａ                対応表メモリ装置
１０６ｂ                ユーザ対応アカウント・メモリ装置
１０６ｃ                一時保存メモリ装置
１０７                  ディスプレイ
ＭＣＵ                  マイクロプロセッサ
ＢＲ１                  整流電気回路
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４    電気抵抗
Ｃ１、Ｃ２、Ｃ３、Ｃ４  コンデンサ
Ｐ１                    光カプラ
ＣＴ                    コイル
Ｔ１、Ｔ２              電話機接続ポート
Ｌ１、Ｌ２              通話回路
ＴＥＬ                  電話機
ＩＣ１                  ベル発生器
ＩＣ２ＤＴＭＦ          デコーダ
ＩＣ３                  効果音チップ
ＯＰＡ、ＯＰＢ          アンプリファイヤ
ＴＲ１                  トランジスタ
ＲＹ１                  リレー
ＲＹ１ａ、ＲＹ１ｂ      接点
ＵＳＢ                  接続インターフェース
ＰＣ                    コンピュータ
ＳＰ                    発音ユニット
ＴＡＢ１                対応表
ＴＡＢ１ａ              文字コード
ＴＡＢ１ｂ              数字組み合せコード
【図１】
0003138315.tif 000003
【図２】
0003138315.tif 000004
【図３】
0003138315.tif 000005